(57)【要約】【課題】衣服と、衣服用ファンと、を一体的に構成せず、使用者が選択した衣服に対し、任意の位置に衣服用ファンを装着することができ、さらに当該衣服用ファンを衣服から取り外した際においては、衣服用ファンの取付孔を閉孔可能な衣服用ファン取付用ワッペンの提供を目的とする。【解決手段】布により構成された基層１５と、熱融着接着剤により構成された接着層１７と、を積層して成り、略中央に前記基層１５及び前記接着層１７を貫通する円形の取付孔１３を有すること、を特徴とする。【選択図】図１
2017057547.tif 000002
【特許請求の範囲】
【請求項１】
布により構成された基層と、
熱融着接着剤により構成された接着層と、を積層して成り、
略中央に前記基層及び前記接着層を貫通する取付孔を有すること、
を特徴とする衣服用ファン取付用ワッペン。
【請求項２】
前記基層が、ポリエステルにより構成されていること、
を特徴とする請求項１記載の衣服用ファン取付用ワッペン。
【請求項３】
前記接着層が、ポリアミドにより構成されていること、
を特徴とする請求項１又は２記載の衣服用ファン取付用ワッペン。
【請求項４】
請求項１〜３のうちのいずれかに記載の衣服用ファン取付用ワッペンを具備する衣服。
【請求項５】
布により構成された基布基層と、熱融着接着剤により構成された基布接着層と、第一マジックテープ層と、を積層して成り、略中央に前記基布基層及び前記基布接着層を貫通する孔を有するリング状基布と、
前記第一マジックテープ層と結合可能な第二マジックテープ層を具備し、前記リング状基布に着脱自在で、前記孔とともに前記取付孔を閉じるための閉孔蓋と、を具備する閉孔機構を有すること、
を特徴とする請求項４に記載の衣服。
【請求項６】
前記衣服用ファン取付用ワッペンの取付孔と略同一の外形を有する衣服用ファンを具備すること、
を特徴とする請求項４又は５に記載の衣服。
【発明の詳細な説明】
【技術分野】
【０００１】
本発明は、衣服用ファンを衣服に装着可能とする衣服用ファン取付用ワッペン及びこれを具備するファン付き衣服に関する。
【背景技術】
【０００２】
近年、高気温下での作業や運動から引き起こされる熱中症が問題視されている。熱中症とは、視床下部の体温を正常に保つ機能が低下することで全身の発汗作用が停止し、体温が過剰に上昇してしまう症状である。そのため、熱中症が引き起こされると適切な処置を早急に行うことが非常に重要であり、処置が遅れると死に至る可能性もある。
【０００３】
上記のような熱中症対策及び快適な作業環境を提供するために、身体を冷却しつつ作業や運動を可能とする空調衣服が知られるようになってきている（例えば、特許文献１参照）。空調衣服とは、衣服用ファンが一体的に構成された衣服であり、衣服と、身体又は下着と、の間に外気を取り入れ、本来身体の体温で温められたまま移動しない衣服内の空気を強制的に入れ替えるものである。
【０００４】
空調衣服に備えられている衣服用ファンは、概ね衣服の背面側における下部近傍に固定されている。使用者は空調衣服を着用し、衣服用ファンを駆動することによって、衣服と、身体又は下着と、の間に外気を取り入れ続けることとなり、身体の表面に沿って常時外気が流れるようになる。これにより、身体が必要とする放熱量に応じて排出される汗を気化させることができ、気化熱を奪うことで身体の冷却を可能とするものである。
【先行技術文献】
【特許文献】
【０００５】
【特許文献１】国際公開第０２／０６７７０８号パンフレット
【発明の概要】
【発明が解決しようとする課題】
【０００６】
しかしながら、従来の空調衣服は衣服と、衣服用ファンと、が一体的に構成されているため、使用者は自身が所望する位置に自由に衣服用ファンを装着することができず、限られた選択肢の中から空調衣服を選択して使用することが強いられていた。空調衣服を必要とする使用者は、会社等における同じ作業を行うグループに属し、当該グループで共通の作業服等を使用するケースが多い。このため、衣服と、衣服用ファンと、が一体的に固定されている空調衣服は容易に導入して使用し難いという問題があった。
【０００７】
また、従来の空調衣服は、夏季等における高気温下で使用するよう特化した構成を有することから、使用者が身体の冷却を所望しない際は、衣服用ファンが不要な重りと化してしまう。さらに、衣服用ファンは、構成上衣服の内部と外部とを連通するものであり、冬季等における低気温下では衣服の内部に外気が入り込むため、使用機会が限定される問題があった。
【０００８】
このような問題に対し、本発明者は、空調衣服の衣服と、衣服用ファンと、の固定構造に着目し、改良設計を繰り返して鋭意検討を行うことにより、上記のような問題を解決する発明に至った。
【０００９】
本発明は、上記問題に鑑みて創作されたものであり、衣服と、衣服用ファンと、を一体的に構成せず、使用者が選択した衣服に対し、任意の位置に衣服用ファンを装着することができ、さらに当該衣服用ファンを衣服から取り外した際においては、衣服用ファンの取付孔を閉孔可能な衣服用ファン取付用ワッペンの提供を目的とする。
【課題を解決するための手段】
【００１０】
上記の課題を解決すべく、本発明は、
布により構成された基層１５と、
熱融着接着剤により構成された接着層１７と、を積層して成り、
略中央に前記基層１５及び前記接着層１７を貫通する取付孔１３を有すること、
を特徴とする衣服用ファン取付用ワッペン１を提供する。
【００１１】
上記本発明の衣服用ファン取付用ワッペン１においては、前記取付孔１３の縁に解れ防止の保護刺繍９が備わっていること、が望ましい。
【００１２】
上記本発明の衣服用ファン取付用ワッペン１においては、前記基層１５が、ポリエステルにより構成されていること、が望ましい。
【００１３】
上記本発明の衣服用ファン取付用ワッペン１においては、前記接着層１７が、ポリアミドにより構成されていること、が望ましい。
【００１４】
本発明は、上記本発明の衣服用ファン取付用ワッペン１を具備する衣服をも提供する。
【００１５】
更に、上記本発明の衣服は、
布により構成された基布基層３９と、熱融着接着剤により構成された基布接着層４１と、第一マジックテープ層４３と、を積層して成り、略中央に前記基布基層３９及び前記基布接着層４１を貫通する孔を有するリング状基布３３と、
前記第一マジックテープ層４３と結合可能な第二マジックテープ層５７を具備し、前記リング状基布３３に着脱自在で、前記孔とともに前記取付孔１３を閉じるための閉孔蓋３１と、を具備する閉孔機構を有することが望ましい。
【００１６】
また、上記本発明の衣服は、前記衣服用ファン取付用ワッペンの取付孔と略同一の外形を有する衣服用ファンを具備すること、が好ましい。
【発明の効果】
【００１７】
上記のような構成を有する本発明の衣服用ファン取付用ワッペン１を使用することにより、衣服５と、衣服用ファン３と、を一体的に構成する必要がなく、衣服５を使用者の任意で選択することが可能となる。また、選択した衣服５に対する衣服用ファン取付用ワッペン１の貼り付け位置においても使用者の任意で決定することができるため、衣服用ファン３を使用者自身が所望する位置に装着可能となり、より高い快適性を提供できる。
【００１８】
更に、本発明の衣服においては、上記のリング状基布３３は、閉孔蓋３１を衣服５に貼り付けるための基布であり、衣服５の背面側から該衣服５に基布接着層４１を当接させつつ当該リング状基布３３の内周４７と、取付孔１３と、が同軸になるよう衣服５に貼り付ける。これにより、基布接着面４１の背面側に配置された第一マジックテープ層４３と、閉孔蓋３１の第二マジックテープ層５７と、が結合可能となり、リング状基布３３と、閉孔蓋３１と、を貼り付けることができる。即ち、使用者は身体の冷却を必要としない冬季等における低気温下において、衣服用ファン３を衣服５から取り外し、取付孔１３を閉孔して衣服内外における空気の交換を防止することが可能となる。
【図面の簡単な説明】
【００１９】
【図１】本発明の実施形態に係る衣服用ファン取付用ワッペン１を用いて衣服用ファン３を衣服５に装着した状態を示す模式図である。
【図２】図１に示す衣服用ファン取付用ワッペン１の詳細を説明するための図であり、図２（ａ）は衣服用ファン取付用ワッペン１を示す平面図、図２（ｂ）は衣服用ファン取付用ワッペン１を図２（ａ）の線Ａにおいて断面視した状態を示す断面図である。
【図３】図１に示す衣服用ファン取付用ワッペン１を衣服５に貼り付ける手順を説明するための図であり、図３（ａ）は衣服用ファン取付用ワッペン１における貼り付け位置の仮決めを示す模式図、図３（ｂ）は衣服用ファン取付用孔７における裁断位置の印付けを示す模式図である。
【図４】図１に示す衣服用ファン取付用ワッペン１を衣服５に貼り付ける手順を説明するための図であり、図４（ａ）は衣服用ファン取付用孔７の裁断を示す模式図、図４（ｂ）は衣服用ファン取付用ワッペン１に加熱を施す準備を示した模式図である。
【図５】図１に示す衣服用ファン取付用ワッペン１を衣服５に貼り付ける手順を説明するための図であり、図５（ａ）はアイロン２７を用いて衣服用ファン取付用ワッペン１を衣服５に貼り付ける手順を示す模式図、図５（ｂ）は衣服用ファン取付用ワッペン１の加熱後、冷却を行う手順を示した模式図である。
【図６】図１に示す衣服用ファン取付用ワッペン１を貼り付けた衣服５に衣服用ファン３を装着する方法を示す斜視図である。
【図７】閉孔蓋３１の取付代となるリング状基布３３の詳細を説明するための図であって、図７（ａ）は、リング状基布３３を示す平面図であり、図７（ｂ）は、図７（ａ）の線Ｂにおいて断面視したリング状基布３３を示す断面図である。
【図８】閉孔蓋３１の詳細を説明するための図であって、図８（ａ）は、閉孔蓋３１を示す平面図であり、図８（ｂ）は、図８（ａ）の線Ｃにおいて断面視した閉孔蓋３１を示す断面図である。
【図９】図７（ａ）,（ｂ）に示すリング状基布３３を衣服５に貼り付ける手順を説明するための図であり、図９（ａ）はリング状基布３３の配置手順を示す斜視図、図９（ｂ）はアイロン１２７を用いてリング状基布３３を衣服５に貼り付ける手順を示す模式図である。
【図１０】図８（ａ）,（ｂ）に示す閉孔蓋３１をリング状基布３３を貼り付けた衣服５に装着する手順を示す斜視図である。
【発明を実施するための形態】
【００２０】
以下、本発明に係る衣服用ファン取付用ワッペン及びこれを具備するファン付き衣服の代表的な実施形態を、図１〜図６を参照しながら詳細に説明するが、本発明は図示されるものに限られないことはいうまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００２１】
まず図１を用いて、本発明の実施形態に係る衣服用ファン取付用ワッペン１の概要について説明する。図１は、本発明の実施形態に係る衣服用ファン取付用ワッペン１を用いて衣服用ファン３を衣服５に装着した状態を示す模式図である。図１に示すように、本実施形態の衣服用ファン取付用ワッペン１は、使用者が任意に選択した衣服５に別途用意した衣服用ファン３を装着させるためのものである。
【００２２】
使用者は、高気温時における体温上昇を伴う作業又は運動を行う際に、衣服用ファン３を装着した衣服を着用することによって、外気を衣服５と、身体又は下着と、の間に取込み、身体の体温で温められたまま衣服５内で移動することなく留まった空気を強制的に入れ替えることができるため、身体を効率良く冷却することができる。
【００２３】
衣服用ファン取付用ワッペン１を用いた空調衣服の構造は、概ね当該衣服用ファン取付用ワッペン１の取付孔１３と、衣服５に設けた衣服用ファン取付用孔７と、を略同軸にして貼り付けた後、当該衣服用ファン取付用ワッペン１を台座にすることで衣服用ファン３を衣服５に装着させたものである。
【００２４】
衣服用ファン取付用ワッペン１と、衣服５と、の貼り付け手順の詳細は後述するが、非常に簡便な貼り付け手順を用いることができるため、使用者は衣服５に対して衣服用ファン３を容易に装着して使用することが可能である。
【００２５】
また、衣服用ファン３の装着位置は衣服５と、使用者の身体と、のスペースに余裕がある位置でさえあれば、衣服５の構造によりある一定の制約は受けるものの、使用者が衣服用ファン取付用ワッペン１の貼り付け位置を任意に決定して貼り付けることができる。
【００２６】
次に図２（ａ）,（ｂ）を用いて、本発明における衣服用ファン取付用ワッペン１の詳細について説明する。図２（ａ）,（ｂ）は、図１に示す衣服用ファン取付用ワッペン１の詳細を説明するための図であり、図２（ａ）は衣服用ファン取付用ワッペン１を示す平面図、図２（ｂ）は図２（ａ）の線Ａにおいて断面視した衣服用ファン取付用ワッペン１を示す断面図である。
【００２７】
図２（ａ）に示すように、衣服用ファン取付用ワッペン１は、比較的熱による影響を受けにくいポリエステル等の合成繊維を用いて作られた薄いリング形状の生地であって、略円形の外周１１及び略円形の取付孔１３の縁に保護刺繍９が施されている。これにより、当該保護刺繍９が衣服用ファン取付用ワッペン１を継続的に使用する際に起こりうる合成繊維の解れを抑制する。
【００２８】
また、取付孔１３は衣服用ファン３を挿入することが可能なサイズで構成されており、また、衣服用ファン３の外形に合わせて略円形の形状を有しており、後述する手順を踏むことで当該取付孔１３に衣服用ファン３における本体部３Ａを挿入して装着し固定することができる。
【００２９】
続いて、図２（a）の線Ａにおいて断面視した図２（ｂ）に示すように、衣服用ファン取付用ワッペン１は、略２層の断面構造となっており、上述において説明したポリエステル等の合成繊維によって構成された基層１５における層と、衣服５に衣服用ファン取付用ワッペン１を貼り付けるための接着層１７と、で構成されている。基層１５の表面には保護刺繍９以外にも装飾刺繍やプリント等が施され、接着層１７の表面には、前述した通り基層１５と、衣服用ファン取付用ワッペン１と、を貼り付けるための熱融着接着剤（以下、本実施例ではホットメルトセメントとも称する。）が塗られている。
【００３０】
接着層１７は、ホットメルトセメントとすることで、アイロン等を用いた加熱で容易に対象物に貼り付けることができ、更にドライクリーニングを含む耐洗濯性を有することから継続的な使用において非常に有用である。また、布布間のホットメルトセメントには、ポリアミド等を用いて構成することが好ましい。
【００３１】
次に図３（ａ）,（ｂ）を用いて、本発明における衣服用ファン取付用ワッペン１を衣服５に貼り付ける手順における、衣服用ファン取付用ワッペン１の貼り付け位置の仮決めと、衣服用ファン取付用孔７の裁断位置の印付けと、について説明する。図３（ａ）,（ｂ）は、図１に示す衣服用ファン取付用ワッペン１を衣服５に貼り付ける手順を説明するための図であり、図３（ａ）は衣服用ファン取付用ワッペン１における貼り付け位置の仮決めを示す模式図、図３（ｂ）は衣服用ファン取付用孔７における裁断位置の印付けを示す模式図である。
【００３２】
図３（ａ）に示すように、まず使用者は衣服用ファン取付用ワッペン１を貼り付ける衣服５を用意し、当該衣服５の背面を平らな作業面に向けて置く。衣服５内部背面側に裁断部の縫い合わせ１９が存在する場合は、当該縫い合わせ１９と、衣服用ファン取付用ワッペン１の外周１１と、に略２〜２．５ｃｍの間隔が取れるよう背面中央側に衣服用ファン取付用ワッペン１を配置する。縫い合わせ１９が存在しない場合はその他縫い目等に干渉しないよう、略２ｃｍ程度衣服用ファン取付用ワッペン１の外周１１を離して配置することが望ましい。
【００３３】
衣服５の下部縫い合わせ２１（使用者の腰付近に位置する部位）と、衣服用ファン取付用ワッペン１の外周１１と、の間隔は略１５〜２０ｃｍを確保して背面中央側に衣服用ファン取付用ワッペン１を配置する必要がある。上述において説明した必要な間隔を保ちつつ、衣服用ファン取付用ワッペン１を衣服５に配置することで貼り付け位置の仮決めが完了することとなる。尚、衣服５は、使用者が任意に選択することが可能であり、現在使用者が所有している作業服等又は想定した作業及び運動に適した服を用いることができるものである。
【００３４】
続いて図３（ｂ）に示すように、使用者は衣服５に配置した衣服用ファン取付用ワッペン１を片方の手を用いて固定し、反対側の手を用いて鉛筆等の筆記用具２２を把持する。衣服用ファン取付用ワッペン１が仮決め位置から位置ずれを起こさないようしっかり固定しつつ、当該衣服用ファン取付用ワッペン１の取付孔１３に沿って筆記用具２２で衣服用ファン取付用孔７裁断位置の印付けを行う。この時、強い筆圧を用い、一筆書きで印付けを完了させると衣服用ファン取付用ワッペン１が位置ずれを起こすおそれがあるため、弱い筆圧で何度も取付孔１３をなぞるように印付けを行うことが好ましい。
【００３５】
次に図４（ａ）,（ｂ）を用いて、本発明における衣服用ファン取付用ワッペン１を衣服５に貼り付ける手順における、衣服用ファン取付用孔７の裁断と、衣服用ファン取付用ワッペン１への加熱準備と、について説明する。図４（ａ）,（ｂ）は、図１に示す衣服用ファン取付用ワッペン１を衣服５に貼り付ける手順を説明するための図であり、図４（ａ）は衣服用ファン取付用孔７の裁断を示す模式図、図４（ｂ）は衣服用ファン取付用ワッペン１に加熱を施す準備を示した模式図である。
【００３６】
使用者は図４（ａ）に示すように、衣服用ファン取付用孔７における裁断位置の印付けが完了した後、衣服用ファン取付用ワッペン１を衣服５から離し、ハサミ等の裁断具２３を用いて衣服５に書いた衣服用ファン取付用孔７の裁断位置における印に沿って衣服５を裁断する。
【００３７】
衣服用ファン取付用孔７の裁断時、極力印から裁断ラインが離れないように注意することは当然だが、裁断中は裁断ラインに引っ張り等の外力が加わるため、当該裁断ラインから解れが発生しないよう慎重に裁断を行うことが必要である。裁断位置における印にそって裁断が完了した後、切り取った生地は破棄しても良い。以上の手順を終えることによって、衣服用ファン取付用孔７の加工が完了する。
【００３８】
衣服５に衣服用ファン取付用孔７を設けた後、図４（ｂ）に示すように使用者は衣服用ファン取付用ワッペン１を衣服用ファン取付用孔７と、衣服用ファン取付用ワッペン１の取付孔１３と、が重なるように衣服５へ再配置させ、当該衣服用ファン取付用ワッペン１の上から当て布２５を被せる。
【００３９】
衣服用ファン取付用ワッペン１を衣服用ファン取付用孔７と、衣服用ファン取付用ワッペン１の取付孔１３と、を重ねて再配置させる際、衣服用ファン取付用孔７および衣服用ファン取付用ワッペン１の取付孔１３における中心を合わせ、双方のラインが極力ずれないように配置を行う。
【００４０】
また、衣服用ファン取付用ワッペン１に被せる当て布２５は、後述する過程において１００℃を越える加熱を行うため、ある程度の耐熱性を有しつつ衣服用ファン取付用ワッペン１に適切な熱を伝えることが可能な綿等の薄い生地を用いることが望ましい。当該当て布２５は、衣服用ファン取付用ワッペン１及び衣服５の生地に加熱のための熱源が直接接触することを防ぎ、過剰な加熱で衣服用ファン取付用ワッペン１及び衣服５の生地を傷めないよう保護するためのものである。
【００４１】
次に図５（ａ）,（ｂ）を用いて、本発明における衣服用ファン取付用ワッペン１を衣服５に貼り付ける手順における、アイロン２７を用いた衣服用ファン取付用ワッペン１の加熱と、加熱後における衣服用ファン取付用ワッペン１の冷却について説明する。図５（ａ）,（ｂ）は、図１に示す衣服用ファン取付用ワッペン１を衣服５に貼り付ける手順を説明するための図であり、図５（ａ）はアイロン２７を用いて衣服用ファン取付用ワッペン１を衣服５に貼り付ける手順を示す模式図、図５（ｂ）は衣服用ファン取付用ワッペン１の加熱後、冷却を行う手順を示した模式図である。
【００４２】
まず、アイロン２７の電源入れて略１５０℃に予熱した後、図５（ａ）に示すように使用者は片方の手を用いて当て布２５及び衣服用ファン取付用ワッペン１を重ねて固定し、反対側の手を用いて予熱完了後のアイロン２７を把持して当て布２５の上から衣服用ファン取付用ワッペン１を加熱する。加熱時、アイロン２７は当て布２５及び衣服用ファン取付用ワッペン１に対して少し押し付けるように加圧し、２０秒程度加熱が完了したら未加熱の位置にアイロン２５を移動させ、上述と同じ手順を用いて加熱を行う。
【００４３】
衣服用ファン取付用ワッペン１全面に対して加熱が完了したら、一旦アイロン２７を当該衣服用ファン取付用ワッペン１から離し、１０秒程度待機した後に衣服５に衣服用ファン取付用ワッペン１が貼り付いているかを入念に確認する。特に衣服用ファン取付用ワッペン１の端部は衣服５と貼り付き難いため、確認時には注意が必要となる。貼り付きに不備があるところは再度アイロン２７を用いて加熱し、しっかりと衣服用ファン取付用ワッペン１を衣服５に貼り付ける。
【００４４】
衣服用ファン取付用ワッペン１が衣服５にしっかりと貼り付いたことを確認した後、アイロン２７の電源を切り、図５（ｂ）に示すように接着層１７のホットメルトセメントが固まるまで２０分以上待機する。当該待機時間は衣服用ファン取付用ワッペン１が貼り付いた衣服５を動かさず、大気の対流を促す等の風通しの良い環境とすることが望ましい。以上で衣服用ファン取付用ワッペン１を衣服５に貼り付ける手順が全て完了することとなる。
【００４５】
続いて、図６を用い、衣服用ファン取付用ワッペン１を貼り付けた衣服５に衣服用ファン３を装着する方法について説明する。図６は、衣服用ファン取付用ワッペン１を貼り付けた衣服５に衣服用ファン３を装着する方法を示す斜視図である。図６に示したように、衣服用ファン３を本体部３Ａと、リング部３Ｂと、に分解し、本体部３Ａの排気側を衣服５の外部側から当該衣服５に貼り付けた衣服用ファン取付用ワッペン１の取付孔１３内に挿入する。この際、衣服用ファン３のフランジ部３Ｃが衣服５に接触するまでしっかりと本体部３Ａを取付孔１３内に挿入する。
【００４６】
続いて、リング部３Ｂを衣服５の内部側から衣服用ファン取付用ワッペン１の取付孔１３内に挿入された本体部３Ａに被せ、当該リング部３Ｂが本体部３Ａに固定されるまでフランジ部３Ｃ方向に押し込む。これによって、リング部３Ｂと、フランジ部３Ｃと、の間に衣服用ファン取付用ワッペン１及び衣服５が挟み込まれ、衣服用ファン３における衣服５への装着が完了することとなる。
【００４７】
本実施形態で説明したように、本発明の衣服用ファン取付用ワッペン１を貼り付ける衣服５は使用者の任意で選択することが可能であり、また選択した衣服５に対する衣服用ファン取付用ワッペン１の貼り付け位置においても使用者の任意で決定することができる。これにより、使用者は高気温時や体温上昇を伴う作業及び運動に適した服を衣服５とすることができ、更に使用者自身が所望する位置に衣服用ファン３を装着可能とすることでより高い快適性を提供しうるものである。
【００４８】
また、本実施形態の衣服用ファン取付用ワッペン１は、衣服用ファン３を該衣服用ファン取付用ワッペン１から取り外した際に、別途用意した閉孔蓋３１を用いて取付用孔１３を閉孔することができるものである。
【００４９】
図７（ａ）,（ｂ）を用いて、取付用孔１３の閉孔に用いる閉孔蓋３１の取付代となるリング状基布３３について説明する。図７（ａ）,（ｂ）は、閉孔蓋３１の取付代となるリング状基布３３の詳細を説明するための図であって、図７（ａ）は、リング状基布３３を示す平面図であり、図７（ｂ）は、図７（ａ）の線Ｂにおいて断面視したリング状基布３３を示す断面図である。
【００５０】
本実施形態の衣服用ファン取付用ワッペン１を貼りつけた衣服５から衣服用ファン３を取り外した際、閉孔蓋３１を用いて本衣服用ファン取付用ワッペン１により衣服５に設けられた取付孔１３を閉孔することができる。リング状基布３３は、当該閉孔蓋３１を衣服５に貼り付けるための基布である。
【００５１】
図７（ａ）に示すように、リング状基布３３は、本衣服用ファン取付用ワッペン１の構成と同様に、比較的熱による影響を受けにくいポリエステル等の合成繊維を用いて作られた薄いリング形状の生地であって、略円形の外周４５及び内周４７の縁に保護刺繍４９が施されている。これにより、当該保護刺繍４９がリング状基布３３を継続的に使用する際に起こりうる合成繊維の解れを抑制する。なお、内周４７の直径は取付孔１３と略同径である。
【００５２】
また、図７（ｂ）に示すように、リング状基布３３は、略３層の断面構造となっており、上述のポリエステル等における合成繊維によって構成された基布基層３９と、衣服５に当該リング状基布３３を貼り付けるための表面に熱融着接着剤が塗られた基布接着層４１と、閉孔蓋３１を貼り付けるための第一マジックテープ（面ファスナ）層４３と、から構成されている。基布接着層４１と、第一マジックテープ層４３と、は、基布基層３９の表裏それぞれの面に配置され、当該基布接着層４１と、第一マジックテープ層４３と、が背合わせとなるように構成されている。
【００５３】
基布接着層４１は、ホットメルトセメントとすることで、アイロン等を用いた加熱で容易に対象物に貼り付けることができ、更にドライクリーニングを含む耐洗濯性を有することから継続的な使用において非常に有用である。また、布布間のホットメルトセメントには、ポリアミド等を用いて構成することが好ましい。
【００５４】
次に、図８（ａ）,（ｂ）を用いて、取付用孔１３の閉孔に用いる閉孔蓋３１について説明する。図８（ａ）,（ｂ）は、閉孔蓋３１の詳細を説明するための図であって、図８（ａ）は、閉孔蓋３１を示す平面図であり、図８（ｂ）は、図８（ａ）の線Ｃにおいて断面視した閉孔蓋３１を示す断面図である。
【００５５】
図８（ａ）に示すように、閉孔蓋３１は、ポリエステル等の合成繊維を用いて作られた薄い円形の生地であって、蓋外周５１の縁に保護刺繍５３が施されている。また、図８（ｂ）に示すよう、に閉孔蓋３１は、略２層の断面構造となっており、上述のポリエステル等における合成繊維によって構成された蓋基層５５と、リング状基布３３に当該閉孔蓋３１を貼り付けるための第二マジックテープ層５７と、から構成されている。
【００５６】
次に、図９（ａ）,（ｂ）を用いて、リング状基布３３を衣服５に貼り付ける手順における、アイロン１２７を用いたリング状基布３３の加熱と、加熱後におけるリング状基布３３の冷却について説明する。図９（ａ）,（ｂ）は、図７に示すリング状基布３３を衣服５に貼り付ける手順を説明するための図であり、図９（ａ）は、リング状基布３３の配置手順を示す斜視図、図９（ｂ）はアイロン１２７を用いてリング状基布３３を衣服５に貼り付ける手順を示す模式図である。
【００５７】
まず、アイロン２７の電源を入れて略１５０℃に予熱した後、リング状基布３３の基布接着層４１を衣服５の背面側に対面させつつ取付孔１３近傍に該リング状基布３３を仮置きし、図９（ａ）に示すように、リング状基布３３の内周４７と、取付孔１３と、が同軸になるよう微調整を行い配置させる。次に、図９（ｂ）に示すように、使用者は片方の手を用いて当て布１２５及びリング状基布３３を重ねて固定し、反対側の手を用いて予熱完了後のアイロン１２７を把持して当て布１２５の上からリング状基布３３を加熱する。加熱時、アイロン１２７は当て布１２５及びリング状基布３３に対して少し押し付けるように加圧し、２０秒程度加熱が完了したら未加熱の位置にアイロン１２５を移動させ、上述と同じ手順を用いて加熱を行う。
【００５８】
リング状基布３３全面に対して加熱が完了したら、一旦アイロン１２７をリング状基布３３から離し、１０秒程度待機した後に当該リング状基布３３が衣服５に貼り付いているかを入念に確認する。特にリング状基布３３の端部は衣服５と貼り付き難いため、確認時には注意が必要となる。貼り付きに不備があるところは再度アイロン１２７を用いて加熱し、しっかりとリング状基布３３を衣服５に貼り付ける。
【００５９】
リング状基布３３が衣服５にしっかりと貼り付いたことを確認した後、アイロン１２７の電源を切り、基布接着層４１のホットメルトセメントが固まるまで２０分以上待機する。当該待機時間は基布接着層４１が貼り付いた衣服５を動かさず、大気の対流を促す等の風通しの良い環境とすることが望ましい。以上でリング状基布３３を衣服５に貼り付ける手順が全て完了することになる。
【００６０】
続いて、図１０を用い、リング状基布３３を貼り付けた衣服５に閉孔蓋３１を貼り付ける方法について説明する。図１０は、リング状基布３３を貼り付けた衣服５に閉孔蓋３１を装着する手順を示す斜視図である。図１０に示すとおり、閉孔蓋３１の第二マジックテープ層５７を衣服５におけるリング状基布３３側に向けつつ、当該閉孔蓋３１と、リング状基布３３と、を同軸に当接させる。これにより、リング状基布３３の第一マジックテープ層４３と、閉孔蓋３１の第二マジックテープ層５７と、が結合し、当該リング状基布３３と、閉孔蓋３１と、が貼り付くことになる。なお、閉孔蓋３１の取外しにおいては、リング状基布３３と、閉孔蓋３１と、の端部を把持し、ゆっくりと双方を引き剥がすことが好ましい。
【００６１】
以上のように、本発明の衣服用ファン取付用ワッペン１は、衣服用ファン３の否装着時において、閉孔蓋３１を用いることにより取付孔１３を閉孔することができる。これにより、使用者は身体の冷却を必要としない冬季等における低気温下において、衣服用ファン３を衣服５から取り外し、取付孔１３を閉孔して衣服内外における空気の交換を防止することが可能となる。即ち、本発明の衣服用ファン取付用ワッペン１を用いた冷却システムは、高気温下における快適性のみを提供するものではなく、衣服５から衣服用ファン３を取り外した際においても当該衣服５本来の機能を低下させることなく快適に使用できるよう鋭意検討し発明されたものである。
【００６２】
以上、本発明の代表的な実施形態について図面を参照しつつ説明してきたが、本発明は、これらの実施形態に限定されるものではなく、特許請求の範囲の記載の精神及び教示を逸脱しない範囲でその他の改良例、変形が存在することを当業者に容易に理解される。
【００６３】
例えば、上記実施形態においては取付孔１３の形状は略円形としたが、衣服用ファンの外形と略同一又は相似形であればよく、例えば、三角形や四角形等の多角形、楕円形、半円形又は扇形等であってもよい。
【産業上の利用可能性】
【００６４】
本発明の衣服用ファン取付用ワッペン１は、衣服５と、衣服用ファン３と、を一体的に構成する必要がなく、使用者が任意で衣服５及び貼り付け位置を決定できる。これにより、衣服用ファン３を使用者自身が所望する位置に装着可能であり、より高い快適性を提供できるものである。更に、当該衣服用ファン３を衣服５から取り外した際においては、衣服用ファン３の取付孔１３を閉孔可能であり、冬季等における低気温下においても衣服５本来の機能を低下させることなく使用を可能とするものである。
【符号の説明】
【００６５】
１      衣服用ファン取付用ワッペン
３      衣服用ファン
３Ａ    本体部
３Ｂ    リング部
３Ｃ    フランジ部
５      衣服
７      衣服用ファン取付用孔
９      保護刺繍
１１    外周
１３    取付孔
１５    基層
１７    接着層
１９    縫い合わせ
２１    下部縫い合わせ
２２    筆記用具
２３    裁断具
２５    当て布
２７    アイロン
３１    閉孔蓋
３３    リング状基布
３９    基布基層
４１    基布接着層
４３    第一マジックテープ層
４５    外周
４７    内周
４９    保護刺繍
５１    蓋外周
５３    保護刺繍
５５    蓋基層
５７    第二マジックテープ層
１２５  当て布
１２７  アイロン
【図１】
2017057547.tif 000003
【図２】
2017057547.tif 000004
【図３】
2017057547.tif 000005
【図４】
2017057547.tif 000006
【図５】
2017057547.tif 000007
【図６】
2017057547.tif 000008
【図７】
2017057547.tif 000009
【図８】
2017057547.tif 000010
【図９】
2017057547.tif 000011
【図１０】
2017057547.tif 000012